【手続補正書】
【提出日】平成23年2月8日(2011.2.8)
【手続補正１】
【補正対象書類名】特許請求の範囲
【補正対象項目名】全文
【補正方法】変更
【補正の内容】
【特許請求の範囲】
【請求項１】
グリコール酸、乳酸、グリコリド、ラクチド、ジオキサノン、トリメチレンカーボネート、カプロラクトン、およびこれらの組合せからなる群から選択されるポリマー材料を得るステップと、
前記ポリマー材料を、単一方向に配向を有さない物品に形成するステップと、
前記物品を回収するステップと
を含む方法。
【請求項２】
前記ポリマー材料が、コポリマーであって、前記コポリマーの約６０重量％から約７５重量％の量のグリコリド、および前記コポリマーの約２５重量％から約４０重量％の量のトリメチレンカーボネートを含むコポリマーを含む、請求項１に記載の方法。
【請求項３】
前記ポリマー材料が、コポリマーであって、前記コポリマーの約５５重量％から約６５重量％の量のグリコリド、前記コポリマーの約１０重量％から約１８重量％の量のジオキサノン、および前記コポリマーの約１７重量％から約３５重量％の量のトリメチレンカーボネートを含むコポリマーを含む、請求項１に記載の方法。
【請求項４】
前記ポリマー材料が、コポリマーであって、前記コポリマーの約１４重量％から約２０重量％の量のカプロラクトン、前記コポリマーの約４重量％から約１０重量％の量のラクチド、前記コポリマーの約４重量％から約１０重量％の量のトリメチレンカーボネート、および前記コポリマーの約６０重量％から約７８重量％の量のグリコリドを含むコポリマーを含む、請求項１に記載の方法。
【請求項５】
前記ポリマー材料を物品に形成するステップが、リボン、テープ、シート、およびフィルムからなる群から選択される物品を形成するステップを含む、請求項１に記載の方法。
【請求項６】
前記ポリマー材料を、単一方向に配向を有さない物品に形成するステップにより、配向をまったく有さない物品がもたらされる、請求項１に記載の方法。
【請求項７】
前記ポリマー材料を、単一方向に配向を有さない物品に形成するステップにより、多方向配向を有する物品がもたらされる、請求項１に記載の方法。
【請求項８】
前記ポリマー材料を、単一方向に配向を有さない物品に形成するステップが、圧縮ローラー法、成形ローラー法、熱プレス法、インフレーションフィルム法、およびこれらの組合せからなる群から選択されるプロセスによって行われる、請求項１に記載の方法。
【請求項９】
前記ポリマー材料を、単一方向に配向を有さない物品に形成するステップが、前記ポリマー材料を、約９５℃から約２３０℃の温度、および約１ｐｓｉから約２５００ｐｓｉの圧力に、約５秒間から約１０分間曝すことによって行われる、請求項１に記載の方法。
【請求項１０】
前記ポリマー材料を、単一方向に配向を有さない物品に形成するステップが、約２９０°Ｆから約３５５°Ｆの温度に加熱された樽形容器中に前記ポリマー材料を導入し、約１インチから約１．５インチの直径を有するダイを通してポリマー材料を押し出すことによって管状フィルムを作製し、前記管状フィルムを約２インチから約４インチの直径に拡大し、前記管状フィルムを平らにすることによって、約０．００１インチから約０．０１４インチの厚さを有するフィルムを作製することによって行われる、請求項１に記載の方法。
【請求項１１】
前記物品の少なくとも１つの表面上にテクスチャーを形成するステップをさらに含む、
請求項１に記載の方法。
【請求項１２】
前記物品が、約０．０００５インチから約０．０１４インチの厚さを有する、請求項１に記載の方法。
【請求項１３】
前記物品が、約０．００２インチから約０．００５インチの厚さを有する、請求項１に記載の方法。
【請求項１４】
請求項１に記載の方法によって作製された前記物品を含む外科用ステープラーバットレス。
【請求項１５】
生物活性剤をさらに含む、請求項１４に記載の外科用ステープラーバットレス。
【請求項１６】
前記生物活性剤が化学療法剤を含む、請求項１５に記載の外科用ステープラーバットレス。
【請求項１７】
請求項１に記載の方法によって作製された前記物品を含む、縫合線のための補強手段。
【請求項１８】
少なくとも１つのステープルを含むステープルカートリッジと、
ステープル形成表面を有するアンビルと、
前記アンビルまたは前記カートリッジに隣接して配置されたバットレスと
を含み、前記バットレスは、請求項１に記載の方法によって作製された物品を含む外科用ステープリング器具。
【請求項１９】
創傷を密閉するためのシステムであって、該システムは、
カートリッジおよびアンビルを備える外科用ステープリング器具であって、前記カートリッジまたはアンビルのうちの１つは、これらに隣接して配置されたバットレスを有し、前記カートリッジおよびアンビルは、これらの間に組織を封鎖するように構成され、前記バットレスは、請求項１に記載の方法によって作製された物品を含む、外科用ステープリング器具を備え、
前記カートリッジからのステープルの射出は、前記バットレスを前記組織に固定する、
システム。
【手続補正２】
【補正対象書類名】明細書
【補正対象項目名】００２４
【補正方法】変更
【補正の内容】
【００２４】
単一方向に配向を有さない、すなわち、配向をまったく有さないか、または多方向配向を有することができるポリマー物品が提供される。このポリマー物品は、外科用ステープリング器具または同様の創傷閉鎖デバイスとともに使用することによって、体液およびガスの漏出を防止するために組織を密閉するのを補助するのに適することができる。
本発明は、例えば以下の項目を提供する。
（項目１）
グリコール酸、乳酸、グリコリド、ラクチド、ジオキサノン、トリメチレンカーボネート、カプロラクトン、およびこれらの組合せからなる群から選択されるポリマー材料を得るステップと、
前記ポリマー材料を、単一方向に配向を有さない物品に形成するステップと、
前記物品を回収するステップと
を含む方法。
（項目２）
前記ポリマー材料が、コポリマーであって、前記コポリマーの約６０重量％から約７５重量％の量のグリコリド、および前記コポリマーの約２５重量％から約４０重量％の量のトリメチレンカーボネートを含むコポリマーを含む、項目１に記載の方法。
（項目３）
前記ポリマー材料が、コポリマーであって、前記コポリマーの約５５重量％から約６５重量％の量のグリコリド、前記コポリマーの約１０重量％から約１８重量％の量のジオキサノン、および前記コポリマーの約１７重量％から約３５重量％の量のトリメチレンカーボネートを含むコポリマーを含む、項目１に記載の方法。
（項目４）
前記ポリマー材料が、コポリマーであって、前記コポリマーの約１４重量％から約２０重量％の量のカプロラクトン、前記コポリマーの約４重量％から約１０重量％の量のラクチド、前記コポリマーの約４重量％から約１０重量％の量のトリメチレンカーボネート、および前記コポリマーの約６０重量％から約７８重量％の量のグリコリドを含むコポリマーを含む、項目１に記載の方法。
（項目５）
前記ポリマー材料を物品に形成するステップが、リボン、テープ、シート、およびフィルムからなる群から選択される物品を形成するステップを含む、項目１に記載の方法。
（項目６）
前記ポリマー材料を、単一方向に配向を有さない物品に形成するステップにより、配向をまったく有さない物品がもたらされる、項目１に記載の方法。
（項目７）
前記ポリマー材料を、単一方向に配向を有さない物品に形成するステップにより、多方向配向を有する物品がもたらされる、項目１に記載の方法。
（項目８）
前記ポリマー材料を、単一方向に配向を有さない物品に形成するステップが、圧縮ローラー法、成形ローラー法、熱プレス法、インフレーションフィルム法、およびこれらの組合せからなる群から選択されるプロセスによって行われる、項目１に記載の方法。
（項目９）
前記ポリマー材料を、単一方向に配向を有さない物品に形成するステップが、前記ポリマー材料を、約９５℃から約２３０℃の温度、および約１ｐｓｉから約２５００ｐｓｉの圧力に、約５秒間から約１０分間曝すことによって行われる、項目１に記載の方法。
（項目１０）
前記ポリマー材料を、単一方向に配向を有さない物品に形成するステップが、約２９０°Ｆから約３５５°Ｆの温度に加熱された樽形容器中に前記ポリマー材料を導入し、約１インチから約１．５インチの直径を有するダイを通してポリマー材料を押し出すことによって管状フィルムを作製し、前記管状フィルムを約２インチから約４インチの直径に拡大し、前記管状フィルムを平らにすることによって、約０．００１インチから約０．０１４インチの厚さを有するフィルムを作製することによって行われる、項目１に記載の方法。
（項目１１）
前記物品の少なくとも１つの表面上にテクスチャーを形成するステップをさらに含む、
項目１に記載の方法。
（項目１２）
前記物品が、約０．０００５インチから約０．０１４インチの厚さを有する、項目１に記載の方法。
（項目１３）
前記物品が、約０．００２インチから約０．００５インチの厚さを有する、項目１に記載の方法。
（項目１４）
項目１に記載の方法によって作製された前記物品を含む外科用ステープラーバットレス。
（項目１５）
生物活性剤をさらに含む、項目１４に記載の外科用ステープラーバットレス。
（項目１６）
前記生物活性剤が化学療法剤を含む、項目１５に記載の外科用ステープラーバットレス。
（項目１７）
項目１に記載の方法によって作製された前記物品を含む、縫合線のための補強手段。
（項目１８）
少なくとも１つのステープルを含むステープルカートリッジと、
ステープル形成表面を有するアンビルと、
前記アンビルまたは前記カートリッジに隣接して配置されたバットレスと
を含み、前記バットレスは、項目１に記載の方法によって作製された物品を含む外科用ステープリング器具。
（項目１９）
創傷を密閉する方法であって、
外科用ステープリング器具のカートリッジとアンビルの間の組織を封鎖するステップであって、前記カートリッジまたはアンビルのうちの１つは、これらに隣接して配置されたバットレスを有し、前記バットレスは、項目１に記載の方法によって作製された物品を含むステップと、
前記カートリッジからステープルを射出することによって前記バットレスを前記組織に固定するステップと
を含む方法。